(57)【要約】【課題】  印刷ジョブ、機密文書ジョブのセキュリティを高めることができる画像形成システムを提供する。【解決手段】  ホスト装置１と画像形成装置２とが通信ケーブル３で接続された画像形成システムにおいて、ホスト装置１から印刷ジョブを送信する際にそのジョブ先頭にジョブ認証用パスワードとして付加された、ＩＣカード４上に表示されている複数桁英数字内容に対し、画像形成装置２のコントローラ部２１は、受信した印刷ジョブ先頭の複数桁英数字が自身の保有する英字数内容と一致するか調べ、違えばジョブ認証用パスワード不一致としてジョブ処理を継続せずジョブキャンセルする機能を有する。【選択図】  図１
2006323772.tif 000002
【特許請求の範囲】
【請求項１】
ホスト装置と画像形成装置とが通信ケーブルで接続された画像形成システムにおいて、前記ホスト装置から印刷ジョブを送信する際に、当該印刷ジョブ先頭にジョブ認証用パスワードとして付加されたＩＣカード上に表示されている複数桁英数字内容に対し、画像形成装置のコントローラ部は、受信した印刷ジョブ先頭の複数桁英数字が自身の保有する英字数内容と一致するか否かを調べ、一致しなければジョブ認証用パスワード不一致としてジョブ処理を継続せずジョブキャンセルすることを特徴とする画像形成システム。
【請求項２】
ホスト装置と画像形成装置とが通信ケーブルで接続された画像形成システムにおいて、前記ホスト装置から機密文書ジョブを送信する際に、当該機密文書ジョブ先頭に機密文書パスワードとして付加されたＩＣカード上に表示されている複数桁英数字内容に対し、画像形成装置のコントローラ部は、受信した機密文書ジョブ先頭の複数桁英数字を自身の保有する複数桁英数字をキーとして復号化して、機密文書ジョブとして処理することを特徴とする画像形成システム。
【請求項３】
請求項１記載の画像形成システムにおいて、ＩＣカード上に表示されている複数桁英数字内容をジョブ先頭にジョブ認証用パスワードとして付加する際に、ホスト装置のユーザーインターフェース若しくはホスト装置によるＩＣカードの自動読み取り機能のいずれかが用いられることを特徴とする画像形成システム。
【請求項４】
請求項２記載の画像形成システムにおいて、ＩＣカード上に表示されている複数桁英数字内容をジョブ先頭に機密文書パスワードとして付加する際に、ホスト装置のユーザーインターフェース若しくはホスト装置によるＩＣカードの自動読み取り機能いずれかが用いられることを特徴とする画像形成システム。
【請求項５】
ホスト装置と画像形成装置とが通信ケーブルで接続された画像形成システムにおいて、画像形成装置のコントローラ部は、挿入されたＩＣカードの複数桁英数字を内部で保有・更新している英数字と内容同期させることを特徴とする画像形成システム。
【請求項６】
請求項１乃至５のいずれか一項記載の画像形成システムを構成する画像形成装置。
【発明の詳細な説明】
【技術分野】
【０００１】
本発明は、ホスト装置と画像形成装置とが通信ケーブルで接続された画像形成システム及びその画像形成システムで用いられる画像形成装置に関する。
【背景技術】
【０００２】
ホスト装置と画像形成装置とが通信ケーブルで接続され、ホスト装置で作成された印刷データを任意の画像形成装置で印刷出力する画像形成システムが広く普及している。このような画像形成システムにおいては、印刷物のセキュリティを高めるため、ジョブ認証機能、機密文書機能を有する。
【発明の開示】
【発明が解決しようとする課題】
【０００３】
従来の画像形成装置では、ジョブ認証用パスワード内容は印刷ジョブの先頭に、また機密文書パスワード内容は機密文書ジョブの先頭にプレーンパスワードとして付加されていたため、実際にはいくらでもネットワークに繋がった他のホスト装置からパスワード内容をキャプチャできるため、それほど機密性が高くないという課題があった。
本発明は、印刷ジョブ、機密文書ジョブのセキュリティを高めることができる画像形成システム及び画像形成装置を提供することを目的とする。
【課題を解決するための手段】
【０００４】
上記目的を達成するために、請求項１記載の発明は、ホスト装置と画像形成装置とが通信ケーブルで接続された画像形成システムにおいて、前記ホスト装置から印刷ジョブを送信する際に、当該印刷ジョブ先頭にジョブ認証用パスワードとして付加されたＩＣカード上に表示されている複数桁英数字内容に対し、画像形成装置のコントローラ部は、受信した印刷ジョブ先頭の複数桁英数字が自身の保有する英字数内容と一致するか否かを調べ、一致しなければジョブ認証用パスワード不一致としてジョブ処理を継続せずジョブキャンセルすることを特徴とする。
請求項２記載の発明は、ホスト装置と画像形成装置とが通信ケーブルで接続された画像形成システムにおいて、前記ホスト装置から機密文書ジョブを送信する際に、当該機密文書ジョブ先頭に機密文書パスワードとして付加されたＩＣカード上に表示されている複数桁英数字内容に対し、画像形成装置のコントローラ部は、受信した機密文書ジョブ先頭の複数桁英数字を自身の保有する複数桁英数字をキーとして復号化して、機密文書ジョブとして処理することを特徴とする。
請求項３記載の発明は、請求項１記載の画像形成システムにおいて、ＩＣカード上に表示されている複数桁英数字内容をジョブ先頭にジョブ認証用パスワードとして付加する際に、ホスト装置のユーザーインターフェース若しくはホスト装置によるＩＣカードの自動読み取り機能のいずれかが用いられることを特徴とする。
請求項４記載の発明は、請求項２記載の画像形成システムにおいて、ＩＣカード上に表示されている複数桁英数字内容をジョブ先頭に機密文書パスワードとして付加する際に、ホスト装置のユーザーインターフェース若しくはホスト装置によるＩＣカードの自動読み取り機能いずれかが用いられることを特徴とする。
請求項５記載の発明は、ホスト装置と画像形成装置とが通信ケーブルで接続された画像形成システムにおいて、画像形成装置のコントローラ部は、挿入されたＩＣカードの複数桁英数字を内部で保有・更新している英数字と内容同期させることを特徴とする。
請求項６記載の発明は、請求項１乃至５のいずれか一項記載の画像形成システムを構成することを特徴とする。
【発明の効果】
【０００５】
本発明によれば、定期的に更新されるＩＣカード上の複数桁英数値を、ジョブ認証用パスワード、あるいは機密文書パスワードとして利用することができるので、仮にネットワーク内で印刷ジョブ、機密文書ジョブをキャプチャされても、そのジョブ認証用パスワード(ジョブ認証用パスワード、機密文書パスワード)のライフサイクルが短いため、画像形成システムの認証セキュリティを維持することができる。
【発明を実施するための最良の形態】
【０００６】
以下、図面を参照して、本発明の実施形態を詳細に説明する。
図１は本発明の画像形成システムにおいて、ＩＣカードの複数桁英数字の入力方法に係る第１の例を示す説明図、図２は同、第２の例を示す説明図、図３は同、第３の例を示す説明図である。ＩＣカードの複数桁英数字を自動的にホスト装置またはプリンタ装置(画像形成装置)のプリンタコントローラに読み取らせる図２、図３において、矢印でＩＣカードのセット先を示している。
画像形成システムの構成はいずれも同じで、ホスト装置１とプリンタ装置２とが通信ケーブル３で接続されている。プリンタ装置２はプリンタコントローラ２１とプリンタエンジン２２を有する。
（実施例１）
図１において、ホスト装置１より印刷したいファイルを通信ケーブル３で接続されたプリンタ装置２に送信する際、ホスト装置１画面上のジョブ認証用パスワード入力ユーザーインターフェースに対して、ＩＣカード４がその時表示している複数桁英数字をジョブ認証用パスワードとして入力する。
プリンタコントローラ２１は該印刷ジョブを受信すると、ジョブ先頭に付加されているジョブ認証用パスワードと自身が保有する英数字を比較して、同一内容であればそのままジョブ処理を継続し、内容が一致しなければそのジョブはキャンセル処理する。
（実施例２）
図１において、ホスト装置１より機密文書したいファイルを通信ケーブル３で接続されたプリンタ装置２に送信する際、ホスト装置１画面上の機密文書パスワード暗号化キー入力用ユーザーインターフェースに対して、ＩＣカード４がその時表示している複数桁英字数字をキーとして入力する。
プリンタコントローラ２１は機密文書ジョブを受信すると、ジョブ先頭に付加されている機密文書パスワード（暗号化済み）を自身が保有する複数桁英数字をキーとして復元化してから、通常の機密文書ジョブの処理を継続する。
【０００７】
（実施例３）
図２において、ホスト装置より印刷したいファイルを通信ケーブル３で接続されたプリンタ装置２に送信する際、ホスト装置１のＩＣカードスロット(図示を省略)にＩＣカード４を挿入しておくと、ホスト装置１は、その時ＩＣカード４上に表示されている複数桁英数字を自動でジョブ認証用パスワードとして取得して、ジョブ先頭に付加する。
プリンタコントローラ２１は印刷ジョブを受信すると、ジョブ先頭に付加されているジョブ認証用パスワードと自身が保有する英数字を比較して、同一内容であればそのままジョブ処理を継続し、内容が一致しなければそのジョブはキャンセル処理する。
本実施例では、パスワード入力が自動で行われるため、入力タイプミスによるジョブキャンセル発生などの不便さが回避される。またＩＣカード４上の英数値は定期的に更新されるため、入力タイプ中に英数値が更新されることによる入力し直しといった事態も回避できるようになる。
（実施例４）
図２において、ホスト装置１より機密文書したいファイルを通信ケーブル３で接続されたプリンタ装置２に送信する際、ホスト装置１のＩＣカードスロット(図示を省略)にＩＣカード４を挿入しておくと、ホスト装置１は、その時ＩＣカード４上に表示されている複数桁英数字を機密文書パスワードの暗号化キーとして取得して、キーにより暗号化された機密文書パスワードを機密文書ジョブ先頭に付加する。
プリンタコントローラ２１は機密文書ジョブを受信すると、ジョブ先頭に付加されている機密文書パスワード（暗号化済み）を自身が保有する複数桁英数字をキーとして復元化してから、通常の機密文書ジョブの処理を継続する。
本実施例では、パスワード入力が自動で行われるため、入力タイプミスによるジョブキャンセル発生などの不便さが回避される。またＩＣカード４上の英数値は定期的に更新されるため、入力タイプ中に英数値が更新されることによる入力し直しといった事態も回避できるようになる。
（実施例５）
図３において、プリンタコントローラ２１のＩＣカードスロット(図示を省略)にＩＣカード４を挿入すると、プリンタコントローラ２１はカードを検知して、自身が保有している複数桁英数字内容をＩＣカード４に対して反映し、両者の同期を図る。
本実施例では、プリンタコントローラ２１のＩＣカードスロットにＩＣカード４を挿入するだけで、自動でプリンタコントローラ２１内部で更新している複数桁英数値とＩＣカード４内で更新している英数値を同期することができるようになるので、万が一、両者の内容が不一致になっても確実に修復できるようになる。
【図面の簡単な説明】
【０００８】
【図１】本発明の画像形成システムにおいて、ＩＣカードの複数桁英数字の入力方法に係る第１の例を示す説明図である。
【図２】本発明の画像形成システムにおいて、ＩＣカードの複数桁英数字の入力方法に係る第２の例を示す説明図である。
【図３】本発明の画像形成システムにおいて、ＩＣカードの複数桁英数字の入力方法に係る第３の例を示す説明図である。
【符号の説明】
【０００９】
１  ホスト装置
２  プリンタ装置(画像形成装置)
２１  プリンタコントローラ(コントローラ部)
２２  プリンタエンジン
３  通信ケーブル
４  ＩＣカード
【図１】
2006323772.tif 000003
【図２】
2006323772.tif 000004
【図３】
2006323772.tif 000005